(57)【特許請求の範囲】
【請求項１】
弁アセンブリが密封状態で挿通される通路を包囲する内表面を有する筒状部材と連結状態で使用される、弁アセンブリであって、
長手方向の通路及び前記内表面に隣接して位置する外表面を有する筒状体と；
前記筒状体と前記筒状部材を密封状態で結合するため、前記内表面に係合する前記外表面上に設けられたシール部材と；
前記筒状体の通路の上流端部から下流端部への水の流れを供給する開放位置及び前記筒状体の通路を閉鎖する閉鎖位置の間を移動する可動弁部材と；
前記可動弁部材を前記閉鎖位置に付勢する弾性手段と；を有し、
所定圧力を超える圧力が前記可動弁部材に加えられた場合に、前記開放位置方向に前記可動弁部材が移動するように前記弾性手段が構成されており、
前記筒状体は環状フランジに結合しており、前記環状フランジは弁シートを備えており、前記可動弁部材は前記筒状体の通路を閉鎖するため前記弁シートと係合しており、
前記筒状体は一対のガイドスロットを備えて形成された内面を有し、かつ前記環状フランジは挿入及び捻りロック作動により前記ガイドスロットと係合するように形成された一対のガイド部材を有している弁アセンブリ。
【請求項２】
前記可動弁部材が、前記筒状体の長手方向軸に略直交する軸の周りを枢動するように設けられている請求項１記載の弁アセンブリ。
【請求項３】
前記弾性手段がバネである請求項１記載の弁アセンブリ。
【請求項４】
前記筒状体は、取付機構によって環状フランジに結合しており、前記取付機構は可動弁部材を支持する枢動アセンブリと協働する請求項２記載の弁アセンブリ。
【請求項５】
前記バネが前記可動弁部材の下側と前記取付機構との間に延出し前記弁シートと係合するように前記可動弁部材を付勢する請求項３記載の弁アセンブリ。
【請求項６】
前記筒状体の前記外表面が環状溝を有し、前記環状溝内には前記シール部材が取付けられている請求項１記載の弁アセンブリ。
【請求項７】
通路を包囲する内表面を有しかつ上端部及び下端部を有する筒状部材と、前記通路内に密封状態で挿通された請求項１記載の弁アセンブリと、前記弁アセンブリがその下側に位置する前記上端部に固定された鉄格子と、を含む床排水器。
【発明の詳細な説明】
【技術分野】
【０００１】
本発明は、弁アセンブリに関し、より詳細には、専用的ではないが、床ドレン挿入用の弁アセンブリに関する。
【背景技術】
【０００２】
一般的に、ビルディング中の湿気のある部屋には床ドレンが設けられている。当該ドレンはパイプを有している。該パイプは該床中に延びており、該パイプの上端部に床排水器が設けられている。床排水器は該パイプ中に突入する筒状部と上部のグリッド又は鉄格子を有している。該グリッド又は鉄格子は一般的に床レベルに設置されそして該グリッド又は鉄格子を介して水が該筒状部に流れ、前記パイプに供給される。
【０００３】
該床排水器の僅かに下方の位置に配置される該パイプは「Ｓ」ベントを有する場合がある。このベントはガスが該パイプを通過し該床排水器を介して室内に排出されることを防止するために水を保持するものである。
【０００４】
上記した床排水器の欠点は、該「Ｓ」ベントが乾燥した場合又は設置されていない場合には、その部屋は下水システムと直接的に連通状態となってしまうことである。
【発明の概要】
【０００５】
本発明の目的は上記した不利益を解消し又は実質的に改良することにある。
【０００６】
本発明によれば、弁アセンブリが密封状態で挿通される通路を包囲する内表面を有する筒状部材と連結状態で使用される、弁アセンブリであって、
長手方向の通路及び前記内表面に隣接して位置する外表面を有する筒状体と；
前記筒状体と前記筒状部材を密封状態で結合するため、前記内表面に係合する前記外表面上に設けられたシール部材と；
前記筒状体の通路の上流端部から下流端部への水の流れを供給する開放位置及び前記筒状体の通路を閉鎖する閉鎖位置の間を移動する可動弁部材と；
前記可動弁部材を前記閉鎖位置に付勢する弾性手段と；を有し、
所定圧力を超える圧力が前記可動弁部材に加えられた場合に、前記開放位置方向に前記可動弁部材が移動するように前記弾性手段が構成されており、
前記筒状体は環状フランジに結合しており、前記環状フランジは弁シートを備えており、前記可動弁部材は前記筒状体の通路を閉鎖するため前記弁シートと係合しており、
前記筒状体は一対のガイドスロットを備えて形成された内面を有し、かつ前記環状フランジは挿入及び捻りロック作動により前記ガイドスロットと係合するように形成された一対のガイド部材を有している弁アセンブリが提供される。
【０００７】
好ましくは、前記筒状体は環状フランジに結合しており、前記環状フランジは弁シートを備えており、前記可動弁部材は前記筒状体の通路を閉鎖するため前記弁シートと係合している。
【０００８】
好ましくは、前記可動弁部材が、前記筒状体の長手方向軸に略直交する軸の周りを枢動するように設けられている。好ましくは、前記弾性手段がバネである。
【０００９】
本発明の他の態様によれば、前記弁アセンブリが密封状態で挿通されかつ上端部及び下端部を有する筒状部材と、前記弁アセンブリがその下側に位置する前記上端部に固定された鉄格子と、を含む床排水器が提供される。
【図面の簡単な説明】
【００１０】
本発明が容易に理解されかつ実施形態によって実用的効果が実現されるように、下記する添付図面を参照する。
【００１１】
【図１】本発明の第１の好ましい実施の形態の弁アセンブリの等角上面図である。
【図２】図１の弁アセンブリの底面図である。
【図３】建物の床のドレンパイプ中の床排水器に挿通された図１及び図２の弁アセンブリの断面した側面図で、該弁アセンブリは開放位置で示されている。
【図４】本発明の第２の好ましい実施形態の弁アセンブリの断面した側面図で、該弁アセンブリは閉鎖位置で示されている。
【図５】図４の弁アセンブリの底面図である。
【図６】図４及び図５の弁アセンブリの等角分解立体図である。
【発明を実施するための形態】
【００１２】
添付図面の図１〜図３は好ましい弁アセンブリ１０を示している。該弁アセンブリ１０は、建物内の室の床に螺着されたドレンパイプ１２内に取り付けられている床排水器１１に挿着されている。該パイプ１２は、下水処理システムに接続された「Ｓ」ベントに通じている。
【００１３】
前記パイプ１２は横断面が円形でありかつ円筒状内面１３を有している。前記床排水器１１は筒状部材１４を有している。前記筒状部材１４は横断面が円形であり、略円筒状外面１５及び略円筒状内面１６を有している。
【００１４】
前記円筒状内面１３は通路１７を包囲しそして前記略円筒状内面１６は通路１８を包囲している。前記通路１７及び１８は共通の長手方向軸１９を有している。
【００１５】
前記略円筒状外面１５は環状溝２０を有し、その内部にはシール部材２１が配置されている。典型的には、前記シール部材２１はプラスチック及び／又はゴムのような弾性材料から形成されている。前記シール部材２１は前記円筒状内面１３及び前記略円筒状外面１５に密封状態で結合している。
【００１６】
前記筒状部材１４の上端部には外方に延出するフランジ２２が固着されている。前記フランジ２２は鉄格子２３がその上に載置される縁部を提供する。前記鉄格子２３は、水が通過することのできる多数の通路２４を有している。
【００１７】
前記床排水器１１には弁アセンブリ１０が取り付けられる。前記弁アセンブリ１０は筒状体２５を包含している。前記筒状体２５は横断面が略円形であり、略筒状の外面２６及び内面２７を有している。前記外面２６はシール部材２９がその内部に配置される環状溝２８を有している。前記シール部材２９はプラスチック及び／又はゴムのような弾性材料から形成されており、前記シール部材２９が前記筒状体２５及び前記筒状部材１４に密封状態で結合するように前記シール部材２９は前記略円筒状内面１６に対して押圧されている。
【００１８】
前記内面２７は長手方向軸１９を有する通路３０を包囲している。前記筒状体２５には取付機構３１が設けられている。前記取付機構３１は枢動アセンブリ３２と協働して、略水平の軸３６の周囲を枢動又は角運動するための可動弁部材３３を支持する。前記軸３６は前記長手方向軸１９に対して略横方向に位置するが前記長手方向軸１９からは離間している。
【００１９】
バネの形状の弾性手段３４は前記可動弁部材３３及び取付機構３１の間を延出して前記可動弁部材３３を付勢し、前記筒状体２５の弁シート３５と係合せしめる。他の弾性手段としては釣合い重りを有するものがあり、また前記可動弁部材自体が同様の作用を行うために釣合い重りとなることもできる。前記可動弁部材３３が前記弁シート３５と係合する時に、前記通路１８は閉鎖する。
【００２０】
前記弁シート３５は前記筒状体２５に固着された環状フランジ３７の下側に設けられている。
【００２１】
上記した弁アセンブリ１０の作動において、水が前記通路２４を通って前記可動弁部材３３上で滞留すると、前記可動弁部材３３に圧力がかかる。前記圧力が所定の圧力を超えると、前記可動弁部材３３は前記弁シート３５から離れて開放位置となり、前記水が前記通路３０を通って前記通路１８及びそれから前記通路１７に入るようにする。そのような水がない場合には、臭気を伴う空気を含むガスが前記通路１７から前記通路２４に通過することのないように、前記可動弁部材３３は前記弁シートと係合する。
【００２２】
好ましくは、前記床排水器１１の前記筒状部材１４、前記弁アセンブリ１０の前記筒状体２５及び前記鉄格子２３はプラスチック材料から成型される。
【００２３】
組み立てる際には、前記床排水器１１は前記シール部材２１を前記円筒状内面１３に対して下方にスライドさせることによって前記パイプ１２に挿通される。前記弁アセンブリ１０は前記シール部材２９を前記円筒状内面１６に対して下方にスライドさせ、ついで前記鉄格子２３を前記フランジ２２上に位置させることによって前記床排水器１１に挿通させる。
【００２４】
もう一つの好ましい弁アセンブリ４０は図４−図６に示されている。前記弁アセンブリ４０は使用時には一つの床排水器に挿通される。この床排水器は、前記弁アセンブリ１０に関して上述したような態様で、建物内の室の床のドレンパイプ内に設けられる。
【００２５】
前記弁アセンブリ４０は筒状体４２を有している。前記筒状体４２は略円筒状の外面４４と内面４６を含む略円形の横断面を有している。前記略円筒状外面４４は環状溝４８を有し、前記環状溝４８内にはシール部材５０が配置されている。前記シール部材５０は弾性材料から形成されておりかつ前記床排水器の内面に対して押圧されて前記筒状体４２及び前記床排水器の略円筒状の内面に密封状態で結合する。
【００２６】
前記筒状体４２には弁シート５２を備える環状フランジ５１が載置されている。前記筒状体４２の前記略円筒状内面４６には相対向して配置された一対のガイドスロット５４が形成されており、前記ガイドスロット５４は前記環状フランジ５１の対応する位置に形成されたガイド部材５６と係合する。前記ガイド部材５６は挿入及び捻りロック作動により前記ガイドスロット５４と係合する。
【００２７】
前記環状フランジ５１には取付ブロック５８及び取付ステム５９を有する取付機構が形成されている。前記取付ブロック５８は枢動アセンブリ６０と協働して、略水平の軸６４の周囲を枢動又は角運動するための可動弁部材６２を支持する。前記軸６４は、前記床排水器の中央通路及び前記ドレンパイプを通る共通垂直軸に対して略横方向に位置するが前記共通垂直軸からは離間している。
【００２８】
前記枢動アセンブリ６０は枢動ロッド６６、クランプブラケット６８及びクランプスクリュー７０を有している。前記枢動ロッド６６はその対向する端部において前記可動弁部材６２に形成された一対の枢動リング７２を介して係合されている。前記枢動ロッド６６の中央部分は前記クランプブラケット６８及び前記クランプスクリュー７０を介して前記可動弁部材６２の枢動フランジ７３に係合されている。または、前記分離状態の部材６８，７０を単一の成型形状とすることもできる。
【００２９】
弾性バネ７４は前記可動弁部材６２の下側と前記環状フランジ５１から下方に延出する取付ステム５９との間を延出し、前記弁シート５２と係合するように前記可動弁部材６２を付勢する。前記弁シート５２は前記可動弁部材６２及び前記環状フランジ５１を密封状態で結合するシール部材７８を有しており、それによって前記床排水器を介して通路を封鎖する。
【００３０】
使用に際しては、水が前記可動弁部材６２上を流れそして少なくとも部分的に前記バネ７４の性質に基づく所定の圧力を超える圧力がかかると、前記可動弁部材６２は前記弁シート５２から離れて開放位置に移動し、水が前記床排水器の通路及びドレンパイプを通って流される。そのような水がない場合には、不潔な空気を含むガスがそれらの通路から室内に侵入することのないように、前記可動弁部材６２は前記弁シート５２と係合する。
【００３１】
本発明の他の利点は、病気を引き起こすバクテリアを含む微生物、及び下水システムから侵入しかつ該室を「汚染する」昆虫類等の害虫を防ぎ、それによってその室の住人の健康を維持することである。
【００３２】
本発明のさらに他の利点は、鉄格子、鉄格子付きフランジ、包囲する床面又はパイプを取り替える必要がなく、又は損傷を与えることなく、ほとんどの既存の床ドレンに取り付け又は設置することができることである。
【００３３】
本発明の範囲又は領域から逸脱することなく、上述した弁アセンブリのデザイン及び構造の詳細において種々の変形が可能であることは当業者にとっては自明なことであろう。
【図１】
0005661781.tif 000002
【図２】
0005661781.tif 000003
【図３】
0005661781.tif 000004
【図４】
0005661781.tif 000005
【図５】
0005661781.tif 000006
【図６】
0005661781.tif 000007